(57)【特許請求の範囲】
【請求項１】
地下に配置されている所定面積の防水板と、この防水板に対応して地上に設けられている枠状支柱体と、前記防水板を地下から地上に駆動する駆動装置とからなり、
前記防水板が前記駆動装置により地上に駆動されると、前記防水板の縁部分が前記枠状支柱体に接して該枠状支柱体の内側と外側とが津波、大潮等の海水に対して遮断されるようになっている防水装置であって、
前記駆動装置は、水道水、貯水タンク中の水、雨水タンク中の水等の水圧で作動する水圧ピストン・シリンダユニットから構成され、
前記防水板は、前記水圧ピストン・シリンダユニットにより所定位置まで駆動されると、その縁部分が前記枠状支柱体に接するように構成され、
上端に切欠が形成された固定の受止部材と、防水板に上方端部がピンにより揺動自在に取付けられた係止部材とから成る自動ストッパ装置により前記防水板が閉鎖位置に保持されることを特徴とする水圧駆動式の防水装置。
【請求項２】
地下に配置されている所定面積の防水板と、この防水板に対応して地下室等の室の出入り口近傍の地上に設けられている枠状支柱体と、前記防水板を地下から地上へ駆動する駆動装置とからなり、
前記防水板が前記駆動装置により地上に駆動されると、前記防水板の縁部分が前記枠状支柱体に接して該枠状支柱体の内側の室内が外側の海水、雨水等の水から保護されるようになっている防水装置であって、
前記駆動装置は、水道水、貯水タンク中の水、雨水タンク中の水等の水圧で作動する水圧ピストン・シリンダユニットから構成され、
前記防水板は、前記水圧ピストン・シリンダユニットにより所定位置まで駆動されると、その縁部分が前記枠状支柱体に接するように構成され、
上端に切欠が形成された固定の受止部材と、防水板に上方端部がピンにより揺動自在に取付けられた係止部材とから成る自動ストッパ装置により防水板が閉鎖位置に保持されることを特徴とする水圧駆動式の防水装置。
【請求項３】
請求項１または２に記載の防水板の、枠状支柱体に接する部分にはパッキンが設けられている水圧駆動式の防水装置。
【請求項４】
請求項１または３に記載の防水板が、直列的に複数個設けられ、その水圧ピストン・シリンダユニットには、水道水、貯水タンク中の水、雨水タンク中の水等の水が順次供給されるようになっている水圧駆動式の防水装置。
【発明の詳細な説明】
【０００１】
【発明の属する技術分野】
本発明は、地下に配置されている防水板が地上に駆動されて大波、高潮等の海水の侵入を防ぐ、あるいは地上に配置され水平方向または観音開き的に駆動されて河川等の出入り開口部を閉鎖して大波、高潮等の侵入を防ぐ、さらには海水、河川水、雨水等の水が地下室のような低位置に建築されている室内へ浸水するのを防ぐ水圧駆動式の防水装置に関するものである。
【０００２】
【従来の技術】
津波、大潮等により海水が内陸部へ浸水するのを防ぐために、海岸には必要に応じて固定的な所定高さの防潮堤が建設されている。また、河川が海に注ぐ近傍には水門すなわち防潮用の開閉門扉が設けられている。この防潮用の開閉門扉は、電動モータからなる駆動装置により駆動されるようになっている。したがって、電動モータにより防潮用の開閉門扉を駆動して河川の出入り開口部を閉鎖して、海水の逆流を阻止することができる。
【０００３】
また、海水、河川水、雨水等の水が地下室へ侵入するのを堰き止める防水板と、この防水板を地下から上方へ駆動する駆動装置とからなり、駆動装置が水圧式のピストンシリンダユニットからなる防水装置は、本出願人は特開２００１−２４１２６１により提案されている。
【０００４】
【発明が解決しようとする課題】
このように、従来から必要な海岸には防潮堤が築かれ、また河川等の出入り開口部には防潮用の開閉門扉が設けられているので、海水の内陸部への進入は一応防ぐことはできる。しかしながら、改良すべき問題点もある。例えば、防潮堤は海岸の景観を損なっており、また海岸の散歩等の交通の障害にもなっている。このような障害は、大きな高潮あるいは津波を防ごうとすると、防潮堤はさらに高くなるので、より大きくなる。また、防潮堤が高くなれば、散歩道としても不適当なもとなってしまう。さらには、災害時のような非常時には、停電等により電力が得られないことがあるが、従来の防潮用の開閉門扉は、電動式のモータにより駆動されるようになっているので、必要時に防潮の役目を果たさないこともあり得る。もっとも、手動的に駆動することも考えられるが、防潮用の開閉門扉の重量等からみて、おおよそ実施不可能である。また、津波警報が発令されているようなときに、現場に赴いて操作することは危険でもある。
【０００５】
また、本出願人が特開２００１−２４１２６１により提案している防水装置によると、停電等の災害時にも確実に防水できるという効果が得ら、さらには駆動装置がピストン・シリンダユニットからなっているので、構造が極めて簡単で安価に提供できる効果も得られる。しかしながら、防水板を上方へ駆動するときの駆動抵抗が比較的大きいという問題はある。
【０００６】
本発明は、上記したような従来の問題点を解消した防水装置を提供することを目的とし、具体的には海岸の風景を格別に損なわず、また停電時にも作動し、しかも遠隔的にも駆動することができる、水圧駆動式の防水装置を提供することを目的ている。また、防水板の駆動抵抗が小さく、しかも漏水の少ない水圧駆動式の防水装置を提供することも目的ている。また、他の発明は、地下室のような比較的低い位置に建設されている室内へ、海水、河川水、雨水等の水が侵入するのを堰き止める防水板の駆動抵抗が小さく、しかも確実に侵入を阻止することができる水圧駆動式の防水装置を提供することを目的ている。
【０００７】
【課題を解決するための手段】
本発明の上記目的は、防水板の駆動に水道水を適用することにより達成される。また、一般に、ビル等の建物には貯水タンク、防災用タンク等が備わっているので、さらには離島などには雨水タンクが備わっているので、このようなタンク中の水を利用することにより、水道水が得られないような時にも防水板を駆動することができる。このように、駆動源に水道水あるいはタンクの水を適用すると、水圧が不足し、充分な駆動力が得られないこともあり得る。そこで、防水板の駆動抵抗を極力小さくして諸定位置まで駆動し、目的位置に達すると、その縁部分が枠状支柱体あるいは防潮堤の側部または地下室のような室内への出入り口開口部の側部に接するように構成される。あるいは、防水板を駆動するとき堆積物を除去するように構成される。かくして、請求項１に記載の発明は、上記目的を達成するために、地下に配置されている所定面積の防水板と、この防水板に対応地上に設けられている枠状支柱体と、前記防水板を地下から地上へ駆動する駆動装置とからなり、前記防水板が前記駆動装置により地上に駆動されると、前記防水板の縁部分が前記枠状支持体に接して該枠状支柱体の内側と外側とが津波、大潮等の海水に対して遮断されるようになっている防水装置であって、前記駆動装置は、水道水、貯水タンク中の水、雨水タンク中の水等の水圧で作動する水圧ピストン・シリンダユニットから構成され、前記防水板は、前記水圧ピストン・シリンダユニットにより所定位置まで駆動されると、その縁部分が前記枠状支柱体に接するように構成され、上端に切欠が形成された固定の受止部材と、防水板に上方端部がピンにより揺動自在に取付けられた係止部材とから成る自動ストッパ装置により防水板が閉鎖位置に保持されるように構成されている。請求項２に記載の発明は、地下に配置されている所定面積の防水板と、この防水板に対応して地下室等の室の出入り口近傍の地上に設けられている枠状支持体と、前記防水板を地下から地上へ駆動する駆動装置とからなり、前記防水板が前記駆動装置により地上に駆動されると、前記防水板の縁部分が前記枠状支持体に接して該枠状支持体の内側の室内から外側の海水、雨水等の水から保護されるようになっている防水装置であって、前記駆動装置は、水道水、貯水タンク中の水、雨水タンク中の水等の水圧で作動する水圧ピストン・シリンダユニットから構成され、前記防水板は、前記水圧ピストン・シリンダユニットにより所定位置まで駆動されると、その縁部分が前記枠状支持体に接するように構成され、上端に切欠が形成された固定の受止部材と、防水板に上方端部がピンにより揺動自在に取付けられた係止部材とから成る自動ストッパ装置により防水板が閉鎖位置に保持されるように構成されている。請求項３に記載の発明は、請求項１または２に記載の防水板の、枠状支持体に接する部分にはパッキンが設けられ、前記請求項４に記載の発明は、請求項１または３に記載の防水板が、直列的に複数個設けられ、その水圧ピストン・シリンダユニットには、水道水、貯水タンク中の水、雨水タンク中の水等の水が順次供給されるようになっている。
【０００８】
【発明の実施の形態】
初めに、本発明の実施の形態を防潮装置について説明する。第１の実施の形態に係わる防潮装置１は、防水板２からなっているが、この防水板２は後述する実施の形態から容易に理解されるように、複数枚を横方向に多少の遊びを持ってつなぎ合わせ、そして複数個の水圧式のピストン・シリンダユニットを適用することにより、幅方向に長い防潮堤あるいは河川等の出入り開口部にも適用できるが、以下１枚の防水板２を適用した実施の形態についてのみ説明する。図１は、本発明の第１の実施の形態を模式的且つ概略的に示す図で、その（イ）は側断面図、その（ロ）は、（イ）において矢視ローロ方向に見た正面図であるが、これらの図に示されているように、第１の実施の形態に係わる水圧駆動式の防潮装置１は、防水板２、この防水板２をガイドするガイド装置１０、２０、前記防水板２を駆動する水圧式ピストン・シリンダユニット４０等からなっている。
【０００９】
防水板２は、所定面積の板状体から構成され、その一方の面すなわち図１の（イ）において右方の面の両側縁部と下縁部には、ゴム等の樹脂からなるシール材３、３および４が貼られている。したがって、これらのシール材３、３、４が後述する枠状支柱に接すると、防水板２により内外はシールされることになる。防水板２の下端部の両側部からは、一対の下方アーム５、５が斜め下方へ且つ両側へ広がるように延びている。これらの下方アーム５、５が斜め下方へ延びている状態が図１の（イ）に示され、両側へ広がるように延びている状態が、図１の（ロ）に示されている。下方アーム５、５の先端部には、ローラ６、６が回転自在に設けられている。これらのローラ６、６は、後述する第１のガイド部材１０、１０の溝１４、１４に入って転がる。また、防水板２の上端部の両側部からも、一対の上方アーム７、７が略水平方向で、且つ両側へ広がるように延びている。そして、その先端部にもローラ８、８が回転自在に設けられている。これらのローラ８、８は、同様に後述する第２のガイド部材２０、２０の溝２４、２４に入って転がる。このように構成されている防水板２は、地面あるいは通常の水面Ｔより下方に建設されている地下室Ｇに、その面が略垂直になるようにして配置されている。
【００１０】
ガイド装置は、防水板２を摩擦抵抗の小さい状態で上下方向に案内するもので、地下室Ｇに配置されている一対の第１のガイド部材１０、１０と、主として地上に配置されている一対の第２のガイド部材２０、２０とからなっている。これらの第１、２のガイド部材１０、１０、２０、２０は左右対称になっているので、以下主として一方のガイド部材１０、２０についてのみ説明する。第１のガイド部材１０は、図１の（イ）に示されているように、下方の垂直部分１１と、この垂直部分の上方に位置する傾斜部分１２とからなっている。そして、これらの垂直部分１１と傾斜部分１２は、カーブ部分１３で滑らかに連続し、溝型鋼から一体的に形成されている。このように構成されている第１のガイド部材１０、１０は、その溝１４、１４の面が互いに内側を向くようにして地下室Ｇの基礎に設けられている。この第１のガイド部材１０、１０の間隔は、防水板２の幅よりも大きく、この第１のガイド部材１０、１０により防水板２の下方部分が案内される。
【００１１】
このような第１のガイド部材１０、１０は、前述したように所定高さまでは垂直部分１１からなっているが、上方部分において図１の（イ）において右方向に向かって、すなわち後述する枠状支柱５０の方へ向かって傾斜した傾斜部分１２となっているので、防水板２は所定位置まで摩擦抵抗のない状態で駆動され、上方端に達すると、枠状支柱５０に接してシール状態で防水することになる。
【００１２】
第２のガイド装置２０も、第１のガイド装置１０と同様に下方の垂直部分２１と、この垂直部分２１の上方に位置する傾斜部分２２とからなっている。そして、これらの垂直部分２１と傾斜部分２２は、カーブ部分２３で滑らかに連続し、溝型鋼から一体的に形成されている。このように構成されている第２のガイド部材２０、２０は、その溝２４、２４の面が互いに内側を向くようにして地下室Ｇと地上にわたって図示されない支持部材により取り付けられている。この第２のガイド部材２０、２０の間隔も、防水板２の幅よりも大きく、この第２のガイド部材２０、２０により防水板２の上方部分が案内される。
【００１３】
第１、２のガイド部材１０、２０は、図１の（イ）において左右方向に間隔をおいて、あるいは前後方向に間隔をおいて設けられている。一方、下方アーム５、５は長く、上方アーム７、７は短いので、防水板２はその面が略垂直になるように保たれて上方へ駆動されることになる。
【００１４】
第１、２のガイド部材１０、２０のいずれか一方、望ましくは地下室に配置されている第１のガイド部材１０の傾斜部１２の上方端部に、自動スットパ装置３０が設けられている。この自動ストッパ装置３０により防水板２が上方へ駆動されるとき、その下降が自動的に防止される。自動ストッパ装置３０は、望ましくは対となって２個設けられるが、その一方の自動ストッパ装置３０が、図２の（イ）に拡大して示されている。本実施の形態によると、自動ストッパ装置３０は、第１のガイド部材１０にブラケット３１を介して固定的に取り付けられている受止部材３２と、重力により垂直方向を向くように、防水板２の下方アーム５に揺動自在に取り付けられている係止部材３５とからなっている。受止部材３２には、その上方端に切欠３３が形成されている。一方、係止部材３５は棒状体から構成され、その上方端部がピン３６により下方アーム５に揺動自在に取り付けられている。
【００１５】
防水板２は、後述するように、ピストン・シリンダユニット４０により上方へ駆動されるが、このとき防水板２が水平を保って駆動されるように、防水板２の両側には、この防水板２と間隔をおいて、図１の（ロ）に示されているように、一対のラック３７、３７が設けられている。また、防水板２の下方には同調ロッド３８が設けられ、その両端部に前記ラック３７、３７と噛み合うピニオン３９、３９が取り付けられている。ラック３７、３７は、地下室Ｇ内に位置し、第１のガイド部材１０、１０の垂直部１１、１１に対応した高さになっている。このようにカーブ部分１３よりも上方位置にはラック３７、３７は設けられていないが、垂直部分１１、１１で同期して駆動されるので、短い上方部分で水平度が大きく狂い、駆動不可能になるようなことはない。このラック３７、３７とピニオン３９、３９は、単なる案内部材であるので、強度は要求されない。したがって腐食の問題のない、プラスチックから構成することもできる。なお、カーブ部分１３より上方まで案内するときは、ラックの加工は難しいので、ローラチエーン等で案内するように実施することもできる。
【００１６】
ピストン・シリンダユニット４０は、水圧シリンダ４１と、この水圧シリンダ４１内に往復動自在に設けられているピストンと、このピストンに取り付けられているピストンロッド４２とから構成されている。そして、ピストンロッド４２の上端部が、防水板２の上方端部のブラケット９にボルト等により揺動自在に取り付けられ、水圧シリンダ４１は、その底部が地下室Ｇの床に固定されている基礎４３に同様に揺動自在に取り付けられている。本実施の形態によると、ピストン・シリンダユニット４０には、水道水が供給されるが、水道水の水圧はそれほど高くはない。したがって、ピストン・シリンダユニット４０は、腐食の問題がなく、メインテナンスの容易な強化プラスチックから形成することもできる。なお、この水圧シリンダ４１に水道水を給排する配管系には、開閉弁、方向切替弁、逆止弁等が設けられているが、図１には配管系も弁類も示されていない。
【００１７】
本実施の形態によると、図１の（イ）に模式的に示されているように、カウンタウエイト４５が設けられている。このカウンタウエイト４５を吊り下げているチエーン等の紐体４６は、遊びプーリー４７に掛け回され、その終端が防水板２の下端に固定されている。したがって、防水板２は、カウンターウエイト４５により持ち上げられる力が付勢されていることになる。なお、図１には示されていないが、滑車機構等を適用すると、カウンタウエイト４５の短い下降距離に対して、防水板２の上方への移動距離を長くすることもできる。
【００１８】
地上には、枠状支柱５０が設けられている。この枠状支柱５０は、図１の（ロ）に示されているように、地上の所定高さまで延びている一対の側枠５１、５１と、これらの側枠５１、５１の下端部を接続している下枠５２とからなっている。下枠５２は、交通の妨げにならないように、あるいは景観をなるだけ損なわないように地上には出ないように設けられている。これらの側枠５１、５１は、防水板２の側部のシール材３、３に対応した間隔に、そして下枠５２は、下方のシール材４に対応している。このように構成されている枠状支柱５０は、防水板２が上方へ駆動されて当接すると、水圧を受けるので、地盤の基礎に強固に固定されている。
【００１９】
なお、図１には示されていないが、地下室Ｇの開口部は簡単には操作できない蓋体で閉鎖され、また防水板２に対応した部分は、防水板が上方へ駆動されるとき、その上昇力で開く蓋体で閉鎖されている。したがって、通常は地下室Ｇの上方も地上と同じように散歩道等として利用することができる。上記のように、本実施の形態によると、地下室Ｇには機械部品、電機部品等の精密部品はない。したがって、地下室が水没しても防水板２を駆動することができる。
【００２０】
次に、上記実施の形態の作用について説明する。通常の状態では、図示されない弁の作用により、ピストン・シリンダユニット４０の水圧シリンダ４１内の水は排水溝に排水される。防水板２は、自重により、図１には示されていないが、支持部材あるいはストッパに当接するまで下がる。防水板２の上方端部は地上Ｔより下方へ退避する。この退避している状態が、図１の（イ）、（ロ）に示されている。防水板２の存在を意識することなく普通通りに交通等に利用できる。
【００２１】
防潮の必要が生じたときには、水圧シリンダ４１に水道水を供給する。ピストンロッド４２が上方へ駆動され、したがって防水板２が上方へ駆動される。このとき、防水板２は第１、２のガイド部材１０、１０、２０、２０内を転がるローラ６、６、、８、８、により案内されるので、駆動抵抗は小さい。また、カウンタウエイト４５が設けられているので、駆動力は小さくて済む。防水板２は、このような小さな力で上方へ駆動される。上記のようにして、垂直部分１１、２２を駆動されるときは、ラック３７、３７にピニオン３９、３９が噛み合っているので、防水板２は実質的に水平を保って、バランスして駆動される。
【００２２】
傾斜部１２、１２には、ラックは設けられていないが、垂直部１１、１１で水平を保って駆動されているので、その慣性で傾斜部１２、１２も実質的に水平を保って駆動される。傾斜部１２、１２を所定量駆動されると、防水板２の前面が枠状支柱５０に当接する。防水板２の前面にはシール材３、３、４が設けられているのでシール材３、３、４が枠状支柱５０の側枠５１、５１と下枠５２とに当接する。これにより、図１の（イ）に示されている内外ＩＮ、ＯＵＴが遮断され内陸部ＯＵＴへの水あるいは海水の侵入が防止される。
【００２３】
このようにして防水板２が駆動されるときの自動ストッパ装置３０の作用が、図２の（ロ）〜（ハ）に示されている。すなわち、これらの図は、防水板２が上方へ駆動されているときの受止部材３２と係止部材３５との関係を示しているが、図２の（ロ）の状態では係止部材３５は、受止部材３２に接触していない。さらに、防水板２を上方へ駆動すると、防水板２は傾斜部１２、１２により前方へ駆動されるので、係止部材３５のピン３６が受止部材３２の上方位置へ近づく。そうすると、係止部材３５は受止部材３２に接触して矢印で示されているように傾く。このような状態が図２の（ハ）に示されている。さらに上方へ駆動されると、受止部材３２の上方には切欠３３が設けられているので、係止部材３５は接触から一時的に開放されて、図２の（ニ）において矢印ａで示されている方向に自重により回動して、切欠３３に落ち込む。このときが、防水板２が枠状支柱５０に接するときで、水圧シリンダ４１への水道水の供給停止時期である。防水板２は、自重により落下しようとするがストッパ装置３０によりこの位置に保持される。これにより、大潮、高潮等の被害が防止される。このとき、設置されている防潮装置１から離れた遠隔地から水圧シリンダ４１に水道水を供給できることは明らかである。また、係止部材３５をドライバ等の工具で回動させ、受止部材３２の切欠３３から外して、防水板２を地下室Ｇの退避位置へ降ろすことができることも明らかである。
【００２４】
図３に、複数枚例えば３枚の第１〜３番目の防水板２、２’、２”を１本の給水管Ｗで駆動する実施の形態が示されている。これらの防水板２、２’、２”をガイドするガイド部材、駆動装置、スットパ装置等は、上記した実施の形態に準じて構成できるので、説明はしないが、防水板２、２’、２”のそれぞれを駆動するピストン・シリンダユニット４０、４０’、４０”の給水管路には第１〜３のシーケンスバルブＶ、Ｖ’、Ｖ”がそれぞれ介装されている。そして、これらのシーケンスバルブＶ、Ｖ’、Ｖ”には、第１〜３のパイロットラインＰ、Ｐ’、Ｐ”が図示されているように接続されている。したがって、給水管Ｗに水道水を供給すると、はじめに第１のパイロットラインＰにより第１のシーケンスバルブＶに水圧が作用する。そうすると、第１のシーケンスバルブＶが開き１番目の防水板２が駆動される。１番目の防水板２が所定位置まで駆動されると、水圧が上昇し、この上昇した水圧が次の第２のパイロットラインＰ’により次の第２のシーケンスバルブＶ’が開く。これにより第２の防水板２’が駆動される。以下同様にして第３の防水板２”が駆動される。このように実施すると、流量の少ない水道水で複数枚の防水板を駆動できる利点が得られる。
【００２５】
次に、図４により、本発明の第２の実施の形態を説明する。第１の実施の形態の構成要素と同じ要素には同じ参照文字を付けて、あるいは同じ参照文字にダッシュ「’」を付けて重複説明はしないが、本実施の形態によると、第２のガイド部材２０’、２０’は、第１のガイド部材１０、１０の実質的に真上に設けられている。防水板２と枠状支柱５０との間隔は、防水板２が上方へ駆動されるとき、そのシール材３、３、４が枠状支柱５０に接触しない極めて狭い間隔で、上方端部位置で接触すればよいので、第１、２のガイド部材１０、２０’の傾斜部分１２、２２’の傾斜角度は小さくてよい。したがって、アーム７’、７’の形状等に格別の工夫をすることなく、上記のように実施できる。また、第１、２のガイド部材１０、２０’の傾斜部分１２、２２’の傾斜量を、ローラ８’、８’の半径で吸収するように構成することによっても第２のガイド部材２０’、２０’を、第１のガイド部材１０、１０の実質的に真上に設けることもできる。このように実施すると、地下室Ｇが狭くなる利点が得られる。
【００２６】
図５に、本発明の第３の実施の形態が示されている。本実施の形態は、防潮堤ＢＴに設けられている河川等の出入り開口部Ｋに適用されるもので、水平方向にスライド的に駆動される防潮引扉６０、この防潮引扉６０を駆動する水圧式のピストン・シリンダユニット７０、防潮引扉６０を案内するガイドレール８０等からなっている。防潮引扉６０は、防潮堤ＢＴ側に面する防潮面６１と、その後方の構造物６２とからなっている。防潮面６１は、出入り開口部Ｋを閉鎖できる大きさになっているが、後方の構造物６２の大きさ等は任意で、全体として自立できる幅となっている。そして、図５の（ロ）に示されているように防潮堤ＢＴの内側ＩＮに、その防潮面６１が防潮堤ＢＴ側を向くようにして、ホイール８５、８５がガイドレール８０に乗って駆動されるようになっている。上記のように構成されている防潮引扉６０の下方の先端部に、水噴射ノズル６３が設けられている。この水噴射ノズル６３から噴射する水により川底あるいはガイドレール８０に堆積した土砂等の堆積物を取り除くことができる。
【００２７】
ピストン・シリンダユニット７０は、水圧シリンダ７１と、この水圧シリンダ７１内に往復動自在に設けられているピストンとからなっている。一方、図５の（ロ）に示されているように、防潮堤ＢＴの頂部Ｔには、防潮引扉６０の上方空間の方へ張り出した片持梁７５が取り付けられている。そして、この片持梁７５に水圧シリンダ７１が揺動可能に取り付けられている。また、ピストンに接続されているピストンロッド７２が防潮引扉６０の先端部にピン７３により同様に揺動可能に接続されている。なお、防潮堤ＢＴの上には、小型発電機、加圧ポンプ、補水タンク等からなるバックアップ装置７６が設けられている。
【００２８】
上記防潮装置は次のように作用する。すなわち、出入り開口部Ｋを閉鎖するときは、ピストン・シリンダユニット７０の水圧シリンダ７１のヘッド側に水道水、タンク中の水等の圧力水を供給する。ピストン・シリンダユニット７０のピストンロッド７２が伸長して、防潮引扉６０が図５の（イ）おいて左方へ駆動され、出入り開口部Ｋを塞ぐ。これにより、海水が河川の方へ逆流することがない。あるいは内陸部へ侵入することが防止される。このように駆動されるとき、堆積物は水噴射ノズル６３から噴射される水により取り除かれる。水圧シリンダ７１のロッド側に圧力水を供給して、防潮引扉６０を、図５の（イ）に示されている位置へ退避させることができることは明らかである。
【００２９】
上記第３の実施の形態では、防潮堤ＢＴの側面と防潮引扉６０の防潮面６１との間には隙間があり、ある程度の海水は漏れる。そこで、防潮引扉６０を駆動するときは、前記隙間が確保され、閉鎖位置に達すると隙間をなくすようにすることもできる。このように実施するときのガイドレールの例が図５の（ハ）に示されている。図５の（ハ）は、防潮引扉６０、ガイドレール等を模式的に示す上面図であるが、この上面図に示されているように、本実施の形態によるガイドレールは、第１、２のガイドレール８３、８４からなっている。そして、これらのガイドレール８３、８４は、終端部近傍で防潮堤ＢＴの方へ曲がっている。したがって、途中まで隙間をもって第１、２のガイドレール８３、８４に案内されながら駆動される防潮引扉６０は、終点部に達すると、その防潮面６１が防潮堤ＢＴの側面に接する。これにより、海水の漏れが少なくなる。防潮面６１の、防潮堤ＢＴの側部に接する部分にシール材を設けることにより、漏れをより完全に防止できることは明らかである。なお、シール材は防潮引扉６０に設ける代わりに、防潮堤ＢＴの、防潮面６１が接する部分に貼り付けても同様な効果が得られる。
【００３０】
上記のような防潮堤の出入り開口部Ｋは、図には示されていないが観音開き的に駆動される開閉門扉でも実施できる。このとき開閉門扉の下端部を支持するガイドレールは円弧状に敷設される。また、堆積物を取り除く水噴射ノズルも開閉門扉の下端前方に設けられる。このように観音開き的に駆動される開閉門扉で実施しても、上記第３の実施の形態と同様な効果が得られることは明らかである。さらには、第１、２のガイド部材１０、２０にラックを形成し、ローラ６、８をラックと噛み合うピニオンから構成することもできる。このように実施すると、摩擦抵抗は多少増加することがあるが、構造が簡単になり安価に提供できるようになる。
【００３１】
図６に、本発明の第４の実施の形態が示されている。本実施の形態は、地下室あるいは低地に建設されている室Ｒに、海水、雨水、河川水等の水が道路Ｄ側から浸水するのを防止するもので、本防水装置１’と、図１、２および図４に示されている防潮装置１と比較すると、室Ｒの出入り口の開口部に設けるか、防潮堤として設けるかの違いがあるのみで、構造的には同じであるので、本防水装置１’については同じ参照数字を付けて重複説明はしない。また、図には示されていないが、図５に示されているような防潮引扉６０からなる防潮装置を室Ｒの出入り口開口部に適用できることは明らかである。
【００３２】
【発明の効果】
以上のように、本発明によると、地下に配置されている所定面積の防水板が、水道水、貯水タンク中の水、雨水タンク中の水等の水圧で作動する水圧ピストン・シリンダユニットにより地上へ駆動されるようになっているので、停電時のような非常時にも津波、大潮等の災害を防止できる。このとき、防水板は水圧ピストン・シリンダユニットにより所定位置まで駆動されると、その縁部分が枠状支柱体に接するように構成されているので、駆動抵抗の小さい状態で所定位置まで駆動することができる、という本発明に特有の効果が得られる。また、駆動装置が水圧ピストン・シリンダユニットから構成されているので、防水板を遠隔操作もできるし、水道水が得られないような例えば離島のようなところでも雨水タンク中の水を利用することができる。さらには、防水板は地下に配置されているので、地上の外観を損なうことはない。また、地上は有効に利用できる効果も得られる。請求項２に記載の発明によると、水圧ピストン・シリンダユニットで駆動される防水板が室の出入り口の近傍に設けられているので、上記のような効果と共に、地下室内あるいは低地に建築されている室内への海水、河川水、雨水等の水の浸水が防止される。請求項３に記載の発明によると、防水板の、枠状支持体に接する部分にはパッキンが設けられているので、より完全に内外を遮断できる効果がさらに得られる。請求項４に記載の発明によると、防水板が、直列的に複数個設けられ、その水圧ピストン・シリンダユニットには、水道水、貯水タンク中の水、雨水タンク中の水等の水が順次供給されるようになっているので、少量の水で広い面積を津波、大潮等から守ることができる効果が得られる。
【図面の簡単な説明】
【図１】本発明の第１の実施の形態を模式的且つ概略的に一部断面にして示す図で、その（イ）は側面図、その（ロ）は、（イ）において矢視ローロ方向に見た図に相当する正面図である。
【図２】本発明の実施の形態に係わるストッパの拡大図で、その（イ）は取り付け状態を、そして（ロ）〜（ニ）はその異なる作用状態を模式的にそれぞれ示す正面図である。
【図３】本発明の実施の形態に係わる、複数個の水圧ピストンシリンダ・ユニットに水道水を供給するための配管図である。
【図４】本発明の第２の実施の形態を模式的且つ概略的に示す斜視図である。
【図５】本発明の第３の実施の形態を模式的且つ概略的に一部断面にして示す図で、その（イ）は側面図、その（ロ）は断面図、その（ハ）はガイドレール部分を示す平面図である。
【図６】本発明の第４の実施の形態を模式的且つ概略的に示す断面図である。
【符号の説明】
１    防潮装置                              ２    防水板
３、４    シール材                            １０    第１のガイド部材
２０    第２のガイド部材                    ３０    自動ストッパ装置
４０    ピストン・シリンダユニット          ５０    枠状支柱
６０    防潮引扉                            ６３    水噴射ノズル
７０    ピストン・シリンダユニット          ８３    第１のガイドレール
８４    第２のガイドレール
【図１】
0004073195.tif 000002
【図２】
0004073195.tif 000003
【図３】
0004073195.tif 000004
【図４】
0004073195.tif 000005
【図５】
0004073195.tif 000006
【図６】
0004073195.tif 000007